(57)【要約】【課題】  操作性に優れ、構造が簡単で軽量化が可能な異常者防犯具を提供する。【解決手段】  先側に対向する左棒状部１２及び右棒状部１３を有するＵ字状の二股部材１４の基部に棒部材１５の先端部１６が固定され、二股部材１４の内側で、左棒状部１２及び右棒状部１３の先端部に設けられたピン１９、２０を中心として、左棒状部１２及び右棒状部１３に近接する角度位置から、左棒状部１２及び右棒状部１３の先端部に設けられた左、右ストッパー２１、２２に当接し、左棒状部１２及び右棒状部１３に対して実質的に９０度開く角度位置まで回動可能な左開閉部材２３及び右開閉部材２４と、左開閉部材２３及び右開閉部材２４をピン１９、２０の回りに９０度角度位置方向に付勢する第１、第２の弾性部材２５、２６とを有し、左、右ストッパー２１、２２に当接した位置では、左、右開閉部材２３、２４の内側先端部２７、２８の間に隙間Ｇを有する。【選択図】        図２
0003105333.tif 000002
【実用新案登録請求の範囲】
【請求項１】
先側に対向する左棒状部及び右棒状部を有するＵ字状の二股部材の基部に棒部材の先端部が固定された異常者防犯具であって、
前記二股部材の内側で、前記左棒状部及び右棒状部の先端部にそれぞれピンを介して対向して設けられ、該ピンを中心として、前記左棒状部及び右棒状部に近接する角度位置から、該左棒状部及び右棒状部の先端部に設けられた左ストッパー及び右ストッパーに当接し、前記左棒状部及び右棒状部に対して実質的に９０度開く角度位置まで回動可能な棒状の左開閉部材及び右開閉部材と、
前記左開閉部材及び右開閉部材を、それぞれ前記ピンの回りに９０度角度位置方向に付勢する第１、第２の弾性部材とを有し、
前記左開閉部材及び右開閉部材がそれぞれ前記左ストッパー及び右ストッパーに当接した位置では、前記左開閉部材及び右開閉部材の内側先端部の間に隙間を有することを特徴とする異常者防犯具。
【請求項２】
請求項１記載の異常者防犯具において、前記左ストッパー及び右ストッパーに当接した前記左開閉部材及び右開閉部材の内側先端部の間の隙間は、０．５〜１５ｃｍの範囲にあることを特徴とする異常者防犯具。
【請求項３】
請求項２記載の異常者防犯具において、更に、前記二股部材の内側に配置され、第３の弾性部材を介して前記棒部材の長手方向に沿って先側に付勢される進退可能な擦り抜け防止部材と、後退位置にある該擦り抜け防止部材をその位置で掛止し、該擦り抜け防止部材の更なる後退によって該擦り抜け防止部材の掛止を解除する掛止機構とを有することを特徴とする異常者防犯具。
【請求項４】
請求項２記載の異常者防犯具において、更に、前記棒部材の長手方向の中間位置には、前記棒部材に取付けられた枠体とこれに張設された透光性の材質又はネットとからなる保護部材が設けられていることを特徴とする異常者防犯具。
【請求項５】
請求項３記載の異常者防犯具において、更に、前記第１、第２の弾性部材は引っ張り式のコイルバネであって、パイプ材からなる前記二股部材の左棒状部及び右棒状部内に配置され、一方、前記第３の弾性部材は圧縮式のコイルバネであって、パイプ材からなる前記棒部材内に配置されていることを特徴とする異常者防犯具。
【考案の詳細な説明】
【技術分野】
【０００１】
本考案は、例えば、異常者等の危険人物を捕獲して身体を拘束することができる異常者防犯具（「防犯ポール」とも称する）に関する。
【背景技術】
【０００２】
従来の防犯用（人用）や野犬、その他の動物用の捕獲具として、長柄の先端に突出させたワイヤーループを設けた形態のものが知られている（例えば、特許文献１参照）。
この捕獲具においては、ワイヤーループを、例えば、犯人（異常者）の身体の一部に嵌めた後、操作レバーを操作してワイヤーループを絞って径を縮小させ、縮小させた位置でワイヤーループの径を固定することによって、異常者の身体の動きを拘束でき、この結果、異常者による攻撃や逃亡が困難になるように構成されている。また、近年、幼稚園や小学校において、異常者が侵入し、幼児や児童に危害を加える事件が頻繁に起こっている。
【０００３】
【特許文献１】特開２００２−２９１３９５号公報（図１及び図４）
【考案の開示】
【考案が解決しようとする課題】
【０００４】
しかしながら、前記従来の捕獲具においては、未だ解決すべき以下のような問題があった。
異常者の身体の一部にワイヤーループを嵌めるようになっているので、例えば、胴体を縛る場合には、まず操作レバーを操作してワイヤーループの径を胴体の径より大きめに設定した後、長柄の先端部を持ち上げてワイヤーループを異常者の上方位置に配置し、その後、狙いを定めてワイヤーループを下げて頭を通して胴体の高さ位置で停止させ、最後に再び操作レバーを操作してワイヤーループの径を縮小させる必要があるため、操作性が悪く、かつ、操作に時間を要して、異常者を取り逃がす恐れがあった。また、構造が複雑であり、このため、軽量化できず、重いために、ハンドリング性に劣っていた。更に、人用以外に動物用にも使用するため、前記の問題が更に増大した。
【０００５】
本考案はかかる事情に鑑みてなされたもので、操作性に優れ、構造が簡単で軽量化が可能な異常者防犯具を提供することを目的とする。
【課題を解決するための手段】
【０００６】
前記目的に沿う請求項１記載の異常者防犯具は、先側に対向する左棒状部及び右棒状部を有するＵ字状の二股部材の基部に棒部材の先端部が固定された異常者防犯具であって、
前記二股部材の内側で、前記左棒状部及び右棒状部の先端部にそれぞれピンを介して対向して設けられ、該ピンを中心として、前記左棒状部及び右棒状部に近接する角度位置から、該左棒状部及び右棒状部の先端部に設けられた左ストッパー及び右ストッパーに当接し、前記左棒状部及び右棒状部に対して実質的に９０度開く角度位置まで回動可能な棒状の左開閉部材及び右開閉部材と、
前記左開閉部材及び右開閉部材を、それぞれ前記ピンの回りに９０度角度位置方向に付勢する第１、第２の弾性部材とを有し、
前記左開閉部材及び右開閉部材がそれぞれ前記左ストッパー及び右ストッパーに当接した位置では、前記左開閉部材及び右開閉部材の内側先端部の間に隙間を有する。
【０００７】
請求項２記載の異常者防犯具は、請求項１記載の異常者防犯具において、前記左ストッパー及び右ストッパーに当接した前記左開閉部材及び右開閉部材の内側先端部の間の隙間は、０．５〜１５ｃｍの範囲にある。
請求項３記載の異常者防犯具は、請求項２記載の異常者防犯具において、更に、前記二股部材の内側に配置され、第３の弾性部材を介して前記棒部材の長手方向に沿って先側に付勢される進退可能な擦り抜け防止部材と、後退位置にある該擦り抜け防止部材をその位置で掛止し、該擦り抜け防止部材の更なる後退によって該擦り抜け防止部材の掛止を解除する掛止機構とを有する。
【０００８】
請求項４記載の異常者防犯具は、請求項２記載の異常者防犯具において、更に、前記棒部材の長手方向の中間位置には、前記棒部材に取付けられた枠体とこれに張設された透光性の材質又はネットとからなる保護部材が設けられている。
請求項５記載の異常者防犯具は、請求項３記載の異常者防犯具において、更に、前記第１、第２の弾性部材は引っ張り式のコイルバネであって、パイプ材からなる前記二股部材の左棒状部及び右棒状部内に配置され、一方、前記第３の弾性部材は圧縮式のコイルバネであって、パイプ材からなる前記棒部材内に配置されている。
【考案の効果】
【０００９】
請求項１〜５記載の異常者防犯具は、先側に対向する左棒状部及び右棒状部を有するＵ字状の二股部材の基部に棒部材の先端部が固定され、二股部材の内側で、棒状の左開閉部材及び右開閉部材が第１、第２の弾性部材によりピンを中心として、左棒状部及び右棒状部に近接する角度位置から、それぞれ左ストッパー及び右ストッパーに当接して左棒状部及び右棒状部に対して実質的に９０度開く角度位置まで回動するので、使用者は握った棒部材を介して、左棒状部及び右棒状部に対して実質的に９０度開いた角度位置の左開閉部材及び右開閉部材を異常者の身体に押し当てると、左ストッパー及び右ストッパーに当接した位置にある左開閉部材及び右開閉部材は異常者の身体との接触により漸次、左棒状部及び右棒状部に近接する角度位置になり、その後、異常者の身体が二股部材の内側に入って左開閉部材及び右開閉部材と異常者の身体との接触がなくなると、左棒状部及び右棒状部に近接する角度位置から９０度開いた角度位置（左ストッパー及び右ストッパーに当接した位置）になり、これにより、異常者の身体の周囲に二股部材及び左開閉部材及び右開閉部材が配置されて、異常者の動きを拘束することができる。しかも、実質的に９０度開いた角度位置の左開閉部材及び右開閉部材を異常者の身体に押し当てるだけで済むので、従来のものに比較して、操作性に優れており、かつ、構造が簡単で軽量化が可能となる。
【００１０】
特に、請求項２記載の異常者防犯具においては、左ストッパー及び右ストッパーに当接した左開閉部材及び右開閉部材の内側先端部の間の隙間は、０．５〜１５ｃｍの範囲にあるので、隙間を適宜変えることにより、使い方及び必要に応じた二股部材及と左開閉部材及び右開閉部材の構成にすることができる。
請求項３記載の異常者防犯具においては、二股部材の内側に配置され、第３の弾性部材を介して棒部材の長手方向に沿って先側に付勢される進退可能な擦り抜け防止部材と、後退位置にある擦り抜け防止部材をその位置で掛止し、擦り抜け防止部材の更なる後退によって擦り抜け防止部材の掛止を解除する掛止機構とを有するので、異常者の身体との接触により後退して、掛止された擦り抜け防止部材の掛止の解除を簡単に行なうことができ、また、異常者の身体を左棒状部及び右棒状部に対して実質的に９０度開いた角度位置の左開閉部材及び右開閉部材と飛び出した擦り抜け防止部材とで挟むことができ、これにより、異常者を素早く、かつ、確実に捕獲することができる。
【００１１】
請求項４記載の異常者防犯具においては、棒部材の長手方向の中間位置には、棒部材に取付けられた枠体とこれに張設された透光性の材質又はネットとからなる保護部材が設けられているので、異常者を捕獲する際に、使用者の安全が保たれる。
請求項５記載の異常者防犯具においては、第１、第２の弾性部材は引っ張り式のコイルバネであって、パイプ材からなる二股部材の左棒状部及び右棒状部内に配置され、一方、第３の弾性部材は圧縮式のコイルバネであって、パイプ材からなる棒部材内に配置されているので、装置をコンパクトに構成でき、これにより、更に、軽量化が可能となる。
【考案を実施するための最良の形態】
【００１２】
続いて、添付した図面を参照しつつ、本考案を具体化した実施の形態につき説明し、本考案の理解に供する。
ここで、図１は本考案の一実施の形態に係る異常者防犯具の使用方法を示す説明図、図２は同異常者防犯具の一部切欠き平面図、図３は同異常者防犯具の一部切欠き正面図、図４は同異常者防犯具の保護部材の説明図である。
【００１３】
図１〜図３に示すように、本考案の一実施の形態に係る異常者防犯具１０は、例えば、幼稚園や小学校に侵入して幼児や児童に危害を加えようとする異常者１１を捕獲して、その身体を拘束することができる携帯型の道具であり、先側に対向する左棒状部１２及び右棒状部１３を有するＵ字状の二股部材１４の基部に棒部材１５の先端部１６が固定された道具である。
【００１４】
異常者防犯具１０は、二股部材１４の内側で、左棒状部１２及び右棒状部１３の先端部の取付ブラケット１７、１８にそれぞれピン１９、２０を介して対向して設けられ、ピン１９、２０を中心として、左棒状部１２及び右棒状部１３に近接する角度位置（図２にて２点鎖線で示す位置）から、左棒状部１２及び右棒状部１３の先端部に設けられた左ストッパー２１及び右ストッパー２２に当接し、左棒状部１２及び右棒状部１３に対して実質的に９０度開く角度位置（図２にて実線で示す位置）まで回動可能な棒状の左開閉部材２３及び右開閉部材２４と、左開閉部材２３及び右開閉部材２４を、それぞれピン１９、２０の回りに９０度角度位置方向に付勢する第１、第２の弾性部材の一例である引っ張り式のコイルバネ２５、２６とを有し、左開閉部材２３及び右開閉部材２４がそれぞれ左ストッパー２１及び右ストッパー２２に当接した位置では、左開閉部材２３及び右開閉部材２４の内側先端部２７、２８の間に隙間Ｇ（０．５〜１５ｃｍ）を有する。以下、これらについて詳しく説明する。
【００１５】
図１〜図３に示すように、棒部材１５は使用者２９が両手で握ることができる握り部３０、３１を有しており、棒部材１５の先端部１６に、二股部材１４の中心部３２が取付けられている。
棒部材１５は外径Ｄ、肉厚ｔ、長さＬのパイプ材からなっており、先端部１６は縮径されて、二股部材１４の中心部３２（外径Ｆ）に先端が溶接されている。握り部３０、３１はパイプ材の外周に滑り止め可能な素材を有する粘着テープを巻いて形成されている。棒部材１５の長手方向の中間位置（先端からの距離Ｌ1 ）には、握り部３０を握った使用者２９の手を含む身体を保護するための保護部材３３が設けられている。
【００１６】
図４に示すように、保護部材３３は、棒部材１５に取付けられ、上側が半円弧状に、且つ上側の両下端に接続された下側部がコ字状に形成された太い線材Ｓからなる枠体３４と、枠体３４に張設され、細い線材ｓが格子状（３５ｍｍピッチ）に構成されたネット３５とを有する。保護部材３３の高さはＫ、幅はＪとしている。拡大図に示すように、保護部材３３は、枠体３４の下端を構成する線材Ｓの下部に溶接で固定された長細い矩形状の取付板３６に管押え３７を介してねじ（図示せず）により締結されている。なお、図２及び図３に示すように、棒部材１５の直上で保護部材３３の先側には、線材Ｓを固定するためのアングル材からなる補強材３８が取付板３６に一体的に垂直に設けられている。なお、保護部材は不使用時には、前後方向に９０°折り畳み可能な構成にすることもできる。
【００１７】
図３に示すように、二股部材１４の内側に配置され、第３の弾性部材の一例である圧縮式のコイルバネ３９を介して棒部材１５の長手方向に沿って先側に付勢される進退可能な擦り抜け防止部材４０と、後退位置にある擦り抜け防止部材４０をその位置で掛止し、擦り抜け防止部材４０の更なる後退によって擦り抜け防止部材４０の掛止を解除する掛止機構４１とを有する。
【００１８】
擦り抜け防止部材４０は、先端に設けられ、異常者１１の身体に接する円板状の接触部４２（外径Ｑ）と、接触部４２の後面の中心部に鉛直に取付けられ、棒部材１５内を進退する断面円形で棒状のスライドロッド４３（外径ｅ）と、スライドロッド４３の後端に鉛直に取付けられ、棒部材１５内を摺動する円板状の可動バネ座４４（外径は棒部材１５の内径より小さい）とを備えている。擦り抜け防止部材４０の可動バネ座４４と保護部材３３より前側の棒部材１５内に固定された円板状の固定バネ座４５との間には、コイルバネ３９が圧縮代Ｓだけ圧縮され、かつ、コイルバネ３９の両端部がそれぞれ可動バネ座４４、固定バネ座４５に当接されて配置されている。
【００１９】
掛止機構４１は、擦り抜け防止部材４０の接触部４２の後面に設けられた被掛止具４６と、被掛止具４６の先端部に形成されたフック４７に掛止可能なフック４８を先端部に有し、棒部材１５に取付けられた掛止具４９とを備えている。
掛止具４９は板バネ材からなっており、後端部は棒部材１５の外面にねじ５０により固定されている。なお、可動バネ座４４は棒部材１５の先端部から抜け出ることがないように構成されている。また、コイルバネ３９の圧縮代Ｓが略、擦り抜け防止部材４０のストロークとなる。
【００２０】
かかる構成によって、図３に示すように、コイルバネ３９が圧縮されて被掛止具４６のフック４７が掛止具４９のフック４８に掛止された状態で、擦り抜け防止部材４０は後退位置にあるが、異常者１１の身体が接する際に発生する力Ｔにより被掛止具４６のフック４７が棒部材１５の長手方向の更に後ろ側に移動してフック４７とフック４８との掛止が解除され、その後、板バネ材の弾性作用により掛止具４９のフック４８を含む先側が棒部材１５の軸心Ｏに対して半径方向外側に移動することによって、擦り抜け防止部材４０は後退位置から、コイルバネ３９の付勢力と力Ｔとがバランスする位置まで前進することになる。
【００２１】
図２に示すように、二股部材１４の棒部材１５の長さ方向の長さはＮ、幅はＷであり、棒部材１５の先端部に直交して設けられた棒状のパイプ材からなる中心部３２と、中心部３２のそれぞれの端部及び左棒状部１２及び右棒状部１３の基端に接し、パイプ材からなる左曲がり部５１及び右曲がり部５２を有している。左棒状部１２と左曲がり部５１とは、また、右棒状部１３と右曲がり部５２とは１本のパイプ材（外径Ｐ、肉厚Ｍ）で形成されており、棒部材１５と中心部３２とは溶接で固定されている。異常者防犯具１０の全長Ｙは、二股部材１４の長さＮと棒部材１５の長さＬとを足したものとなる。
【００２２】
図２に示すように、右棒状部１３（左棒状部１２も同じ）の先端部に設けられた取付ブラケット１８は、右棒状部１３の先端部及び棒状のパイプ材からなる右開閉部材２４の基端部を、対向して配置された２枚の板材により挟むようにして右棒状部１３に固定されており、取付ブラケット１８に固定されたピン２０の回りに右開閉部材２４が、実線で示す位置ｍと二線鎖線で示す位置ｎとの間を回動するようになっている。即ち、一対の左開閉部材２３及び右開閉部材２４が開閉するように構成されている。なお、取付ブラケット１７、１８の内側端間の距離はＨとしている。
【００２３】
外径Ｐで肉厚Ｍのパイプ材から構成される右開閉部材２４（左開閉部材２３も同じ）のピン２０（１９）より左右方向外側（基端側）の部分には、右棒状部１３内の先端側に配置され、図示しない掛止片を介して右棒状部１３に一端が固定されたコイルバネ２６の他端が固定されている。しかも、引っ張り荷重が作用しているコイルバネ２６は右開閉部材２４をピン２０の回りの外側、即ち、時計回り（左開閉部材２３は反時計回り）に付勢可能に設けられており、実線で示す位置ｍにおいて、右開閉部材２４のピン２０より基端側の一部が右棒状部１３の先端部に設けた右ストッパー２２により時計回りの移動が制限されている。
【００２４】
かかる構成によって、図２にｍで示す位置にある左開閉部材２３及び右開閉部材２４を異常者１１の身体に押し付けると、コイルバネ２５、２６の付勢力に抗して押し付け力により左開閉部材２３及び右開閉部材２４がピン１９、２０の回りをｎで示す位置まで回動し、その後、左開閉部材２３及び右開閉部材２４の先端５３、５４が異常者１１の身体から離れると、コイルバネ２５、２６の付勢力により再び、ｍで示す位置に戻るようになっている。なお、左開閉部材２３及び右開閉部材２４の先端５３、５４は身体を傷つけないようにゴム等のクッション部材を設けている。
【００２５】
次いで、本考案の一実施の形態に係る異常者防犯具１０の使用方法及び作用（又は動作）について、主として図１を参照しながら、幼稚園や小学校に侵入してきた異常者１１を捕獲する場合で説明する。
（１）擦り抜け防止部材４０が棒部材１５に掛止されて後退位置にあり、保護部材３３も棒部材１５に取付けられている異常者防犯具１０は、通常、幼稚園や小学校内の所定の位置に置いておく。
（２）幼稚園や小学校内に刃物５５を手にした異常者１１が侵入すると、危険を感じた使用者２９は、異常者防犯具１０の置いてある所に行き、保護部材３３が棒部材１５の上側になり、しかも、棒部材１５が略水平になるように両手で異常者防犯具１０の棒部材１５の握り部３０、３１を握る。
【００２６】
（３）使用者２９は、異常者防犯具１０を持ったまま、異常者１１の方に移動し、９０°開いた角度位置の左開閉部材２３及び右開閉部材２４を異常者１１の身体（胴体部）に押し付ける。この押し付けにより、コイルバネ２５、２６の付勢力に抗して左開閉部材２３及び右開閉部材２４が９０°開いた角度位置から左棒状部１２及び右棒状部１３に近接する角度位置に回動した後、異常者１１の身体が二股部材１４の内側に入り込むと、左開閉部材２３及び右開閉部材２４の先端５３、５４が異常者１１の身体から離れ、コイルバネ２５、２６の付勢力により左開閉部材２３及び右開閉部材２４は再び、９０°開いた角度位置に戻る。
（４）左開閉部材２３及び右開閉部材２４が９０度角度位置になると同時に、異常者防犯具１０を更に異常者１１の方に押し付けることにより、異常者１１の身体が擦り抜け防止部材４０の接触部４２に接触して、この接触力により、擦り抜け防止部材４０と棒部材１５との掛止が解除されて、擦り抜け防止部材４０はコイルバネ３９の付勢力が接触力とバランスする位置まで異常者１１の身体を押しながら前進する。
【００２７】
（５）異常者１１は、９０°開いた角度位置の左開閉部材２３及び右開閉部材２４及び二股部材１４により囲まれ、しかも、擦り抜け防止部材４０の接触部４２により押されることにより、身体の動きが拘束されており、この状態で、例えば、異常者１１が刃物５５で使用者２９を傷付けようとしても、保護部材３３により保護される。
（６）使用者２９は声を出して助けを呼び求め、助けが来るまで、前記（５）の状態を維持する。
（７）助けが到着すると、異常者１１の身体を別途拘束した後、刃物５５を取り上げ、擦り抜け防止部材４０を後退位置に掛止して、異常者防犯具１０を上方又は下方に移動して異常者１１の身体から取り外す。
【実施例】
【００２８】
次に、本考案の異常者防犯具１０の実施例について説明する。
異常者防犯具１０は全長Ｙ＝１３００〜２０００ｍｍとし、棒部材１５は長さＬ＝８００〜１５００ｍｍ、二股部材１４は長さＮ＝４００〜６００ｍｍで幅Ｗ＝４００〜５５０ｍｍ、棒部材１５の先端からの距離Ｌ1 ＝４００〜６００ｍｍに保護部材３３を取付け、棒部材１５の後端からの距離Ｌ2 ＝６００〜９００ｍｍの間に間隔をあけて握り部３０、３１を設けた。
棒部材１５の材質は鋼製であり、外径Ｄ＝１９〜３０ｍｍ、肉厚ｔ＝１〜２ｍｍとした。
【００２９】
二股部材１４の材質は鋼製であり、中心部３２の外径Ｆ＝１５〜２５ｍｍ、肉厚ｆ＝１〜３ｍｍとし、左棒状部１２、右棒状部１３及び左曲がり部５１、右曲がり部５２の外径Ｐ＝１３〜２５ｍｍ、肉厚Ｍ＝１〜２ｍｍとした。
左開閉部材２３及び右開閉部材２４も材質は鋼製であり、外径Ｐ＝１３〜２５ｍｍ、肉厚Ｍ＝１〜２ｍｍとした。
取付ブラケット１７、１８の内側端間の距離Ｈ＝３００〜６００ｍｍ、左開閉部材２３及び右開閉部材２４の先端５３、５４間の隙間Ｇ＝５〜１５０ｍｍとした。
擦り抜け防止部材４０の接触部４２は外径Ｑ＝３０〜８０ｍｍ、スライドロッド４３は外径ｅ＝５〜１０ｍｍ、擦り抜け防止部材４０のストロークＳ＝１００〜２００ｍｍとした。
引っ張り式のコイルバネ２５、２６の弾性係数は１０〜２０Ｋｇ／ｃｍとした。
圧縮式のコイルバネ３９の弾性係数は１〜２Ｋｇ／ｃｍとした。
【００３０】
本考案は前記した実施の形態に限定されるものではなく、本考案の要旨を変更しない範囲での変更は可能であり、例えば、前記したそれぞれの実施の形態や変形例の一部又は全部を組み合わせて本考案の異常者防犯具を構成する場合も本考案の権利範囲に含まれる。
更に、実施例において、異常者防犯具の形状を具体的な数値で説明したが、本考案の要旨を変更しない範囲での数値の変更は可能である。
前記実施の形態においては、棒部材１５の先側に飛び出し可能な擦り抜け防止部材４０を設けたが、これに限定されず、必要に応じて、擦り抜け防止部材を省略することもできる。
【００３１】
棒部材の長手方向の中間位置に、使用者を保護する（本実施の形態では、異常者１１に近い側の手を保護する）ための保護部材を設けたが、これに限定されず、必要に応じて、保護部材を省略することもできる。また、保護部材は線材を枠体にネット状に張設して構成したが、これに限定されず、必要に応じて、他の材質や他の構成、例えば、透光性の材質からなる材料（例えば、アクリル板）を枠体に張設した保護部材を使用することもできる。
第１、第２の弾性部材及び第３の弾性部材をコイルバネとし、第１、第２の弾性部材をパイプ材からなる二股部材１４の左棒状部１２及び右棒状部１３内にそれぞれ配置し、第３の弾性部材をパイプ材からなる棒部材１５内に配置したが、これに限定されず、必要に応じて、その他の弾性部材を用い、また、二股部材の左棒状部及び右棒状部の外、棒部材の外に設けることもできる。
【００３２】
１台の異常者防犯具１０を用いて異常者１１を捕獲したが、これに限定されず、状況に応じて、２台以上の異常者防犯具１０を用いて異常者１１を捕獲するならより効果的に行なえる。
実施例における各部品の材質は、これに限定されるものではなく、必要や状況に応じて適宜決定される。例えば、パイプ材を鋼製としたが、これに限定されず、ステンレス製、アルミ製、樹脂製等にすることもできる。また、ハンドリングを考慮して、できるだけ軽量な材料を使用することが好ましい。
二股部材は実質的にＵ字状であればよく、異常者１１を捕獲可能な形状、例えば、左曲がり部、右曲がり部の代わりに、直交してく字状に形成された部分を設けたもの、又は、左曲がり部、右曲がり部の代わりに、対となる直線部により中心部の両端と左棒状部及び右棒状部とを接続した形状のものであってもよい。
【図面の簡単な説明】
【００３３】
【図１】本考案の一実施の形態に係る異常者防犯具の使用方法を示す説明図である。
【図２】同異常者防犯具の一部切欠き平面図である。
【図３】同異常者防犯具の一部切欠き正面図である。
【図４】同異常者防犯具の保護部材の説明図である。
【符号の説明】
【００３４】
１０：異常者防犯具、１１：異常者、１２：左棒状部、１３：右棒状部、１４：二股部材、１５：棒部材、１６：先端部、１７、１８：取付ブラケット、１９、２０：ピン、２１：左ストッパー、２２：右ストッパー、２３：左開閉部材、２４：右開閉部材、２５：コイルバネ（第１の弾性部材）、２６：コイルバネ（第２の弾性部材）、２７、２８：先端部、２９：使用者、３０、３１：握り部、３２：中心部、３３：保護部材、３４：枠体、３５：ネット、３６：取付板、３７：管押え、３８：補強材、３９：コイルバネ（第３の弾性部材）、４０：擦り抜け防止部材、４１：掛止機構、４２：接触部、４３：スライドロッド、４４：可動バネ座、４５：固定バネ座、４６：被掛止具、４７：フック、４８：フック、４９：掛止具、５０：ねじ、５１：左曲がり部、５２：右曲がり部、５３、５４：先端、５５：刃物
【図１】
0003105333.tif 000003
【図２】
0003105333.tif 000004
【図３】
0003105333.tif 000005
【図４】
0003105333.tif 000006